(57)【特許請求の範囲】
【請求項１】
車両のエンジンルームとその後方の車室とを仕切るダッシュパネルと、該ダッシュパネルの下端部から車両の後方側に延びるように設置されたフロアパネルと、該フロアパネルの車幅方向中央部を上方に膨出させたトンネル部と、該トンネル部に沿ってフロアパネルの下方部を車両の前後方向に延設された排気管と、上記フロアパネルの下面に沿って車両の前後方向に配索されたハーネスとを備える車両の下部車体構造であって、上記トンネル部内には排気管の設置部を上方から覆うヒートインシュレータが設けられるとともに、該ヒートインシュレータには、その側面の一部を車幅方向の内方側に凹入させた凹入部が形成され、該ヒートインシュレータの凹入部と上記トンネル部との間に形成された空間部内であって、該トンネル部の上部下面よりも下方に離間した位置に上記ハーネスが配置され、上記ハーネスは、上記排気管よりも下方に配設されたハーネス後部と、該ハーネス後部の前端部から上記ヒートインシュレータの凹入部とトンネル部との間に形成された空間部を通って上方に延びて、上記排気管の車幅方向に隣り合う部分における最大幅部位よりも上方まで延設される上下延設部と、該上下延設部の上端から上記トンネル部内を通ってエンジンルーム内に延設されるハーネス前部とを備えたことを特徴とする車両の下部車体構造。
【請求項２】
上記ハーネスが、上記ヒートインシュレータの頂部よりも下方に離間した位置に配索されたことを特徴とする請求項１に記載の車両の下部車体構造。
【請求項３】
上記排気管の前方部には、該排気管の管状部よりも大径で高温になる触媒が配設され、該触媒の最大幅部位よりも前方または後方にずれた位置に上記ハーネスの上下延設部が配設されたことを特徴とする請求項１または２に記載の車両の下部車体構造。
【請求項４】
上記排気管の触媒およびハーネスの上下延設部よりも後方側部位に、排気管の大径機能部が設けられたことを特徴とする請求項３に記載の車両の下部車体構造。
【請求項５】
上記トンネル部の内壁面に沿ってトンネルクロスメンバが車幅方向に延設され、該トンネルクロスメンバの前方側に上記ハーネスの上下延設部が配置されたことを特徴とする請求項１〜４のいずれか１項に記載の車両の下部車体構造。
【請求項６】
下面が上記トンネル部の下端よりも下方に突出した状態で上記フロアパネルの下面に沿って車両の前後方向に延設されたフレーム部材を有し、該フレーム部材の下面よりも上方に上記ハーネス後部が配索されたことを特徴とする請求項１〜５のいずれか１項に記載の車両の下部車体構造。
【請求項７】
上記フレーム部材の前部下面が、その後部下面よりも上方に凹入した段上げ部が形成され、該段上げ部の前方側部位にサブフレームの後方部が取り付けられるとともに、該サブフレームの後縁部に沿って上記ハーネス後部の前端部からトンネル部側へ車幅方向に延びるように上記ハーネス前部が配索されたことを特徴とする請求項６に記載の車両の下部車体構造。
【請求項８】
上記フレーム部材の設置部よりも車幅方向外方側に上記ハーネス後部が配索されるとともに、該ハーネス後部の前端から上記フレーム部材の段上げ部の下方を通って車幅方向内方側にハーネスが配索されたことを特徴とする請求項７に記載の車両の下部車体構造。
【請求項９】
車両の前突時に上記サブフレームの後方部が下方に脱落するのを促進する脱落促進部を
備えたことを特徴とする請求項７または８に記載の車両の下部車体構造。
【発明の詳細な説明】
【技術分野】
【０００１】
本発明は、フロアパネルのトンネル部に沿って車両の前後方向に延設された排気管と、上記フロアパネルの下面に沿って車両の前後方向に配索されたハーネスとを備える車両の下部車体構造に関するものである。
【背景技術】
【０００２】
従来、下記特許文献１に示されるように、車両が外力で損傷を受けるような場合にも、できる限り高電圧ケーブル（ハーネス）への影響を避けること、高電圧ケーブル保護のための艤装部品を少なく保つこと、車両の前室をできる限りコンパクトにすることを目的として、ダッシュパネル前方の前室に搭載ユニットを備え、ダッシュパネル後方にバッテリを備え、そのバッテリに接続される高電圧ケーブルをダッシュパネルに沿うように設けた車両の高電圧ケーブルの配索構造において、上記搭載ユニットを構成する複数の細部ユニットをダッシュパネルの前方に車両幅方向に並べて設け、それら細部ユニットの後面を互いに車両前後方向の段差を生ずるように形成してダッシュパネルとの距離を異ならせて設け、高電圧ケーブルを、ダッシュパネルからの距離が大きい側の細部ユニットの後面に対向するダッシュパネル部分を通るように配索するとともに、該ダッシュパネル部分からフロアパネルのトンネル部内に導入して車体の後方側に延設することが行われている。
【０００３】
また、下記特許文献２に示されるように、作業性や安定性や耐久性や安全性等の向上を図ることが可能なワイヤハーネスを提供することを目的として、ハイブリッド自動車または電気自動車の車両内部前側から車体フレームの外側となる車体床下を通り車両内部後側まで延びてバッテリおよびインバータ間を接続し、またはモータ及びインバータ間を接続する複数の高圧電線と、該複数の高圧電線を保護する保護部材とを備えるワイヤハーネスにおいて、上記保護部材を、車両内部用保護部材と車体床下用保護部材とを含む複数種の別体部品で構成するとともに、上記車体床下用保護部材を、断面非円形状の絶縁性を有する合成樹脂製の平型チューブとし、該平型チューブを、部材の軸方向に沿って、独立した部材周方向の山部と谷部とを交互に連続させるとともに上記山部に床下設置面となり得る頂面を有する蛇腹状の形状に形成し、かつ上記車体床下への配索前において所定方向への曲げが自在となる形状に形成し、かつ上記部材の軸に沿ってスリットのないシームレス形状に形成し、かつ上記高圧電線を横一列に並べた状態に合わせた内部空間を有する形状に形成し、かつ上記車体床下から地面方向に突出するように上記車体フレームに設けられたリーンホースの横に設置可能な形状に形成し、かつ上記リーンホースよりも低背となる形状に形成することが行われている。
【０００４】
さらに、下記特許文献３に示されるように、電力ケーブルが挿通される金属製パイプ内で生じる結露により、金属製パイプが錆びることを防止することを目的として、車両内部に該車両の前後方向に間隔をもって配置された電源と電気負荷間を、電力ケーブルにより接続する車両の配線構造において、上記車両のフロア下面の上記電源の設置箇所の下方位置と上記電気負荷の設置箇所の下方位置との間に配置され、両端が上記車両内に挿入された金属製パイプと、該金属製パイプ内に挿通されて、上記電源と電気負荷を接続した電力ケーブルとを備えるとともに、上記金属製パイプは、フロアパネルに形成されたトンネル部内に配設されるとともに、両端から鉛直方向の最下部に向かって傾斜して設けられ、上記最下部を加熱する排気管からなる加熱手段を備えた構造としたものが知られている。
【先行技術文献】
【特許文献】
【０００５】
【特許文献１】特開２０１１−０６３１４７号公報
【特許文献２】特開２０１０−０１２８６８号公報
【特許文献３】特開２０１０−１４３４０８号公報
【発明の概要】
【発明が解決しようとする課題】
【０００６】
上記特許文献１に係る高電圧ケーブルの配索構造では、ダッシュパネルに沿うように配策された高電圧ケーブルの後部をトンネル部内に導入し、該トンネル部の上部下面に沿って車両の後方側に延設するように構成されているため、車両の走行時に路面の障害物が上記高電圧ケーブルに接触するのを防止して該高電圧ケーブルを効果的に保護することができる。しかし、上記トンネル部内には、車両の走行時に高温状態となる排気管が配設されているため、該排気管の影響を受けて高電圧ケーブルに熱害が生じる可能性があり、これを防止するための対策を講じる必要がある。
【０００７】
なお、上記特許文献１には、上記高電圧ケーブルと排気管とをトンネル部内において車幅方向に反対側に互いに離間して配索することにより、狭く限られた空間内における高電圧ケーブルおよび排気管の熱膨張および干渉を避けるようにした構成が開示されているが、このように構成した場合においても、上記排気管に設けられた触媒等からなる大径部が上記高電圧ケーブルに近接した状態となるのを防止することが避けられず、該触媒の熱影響が高圧ケーブルに及ぶ虞がある。
【０００８】
また、上記ダッシュパネルの後方部において高電圧ケーブルを下方から覆うように設置された保護カバーを、断熱性を有する素材で形成することにより、上記排気管の輻射熱が高電圧ケーブルに対して直接的に作用するのを防止することも考えられる。しかし、このように構成した場合には、渋滞路の走行時等に上記排気管の熱影響を受けて加熱された空気が上記保護カバー内に滞留し易く、上記高電圧ケーブルに熱害が却って生じ易くなる可能性がある。
【０００９】
一方、上記引用文献２に開示されているように、複数の高圧電線を保護する保護部材を断面非円形状の絶縁性を有する合成樹脂製の平型チューブとし、該平型チューブを、車体床下から地面方向に突出するように上記車体フレームに設けられたリーンホースの横に設置可能な形状に形成し、かつ上記リーンホースよりも低背となる形状に形成した場合には、上記平型チューブが路面に接触するのを防止し、これを効果的に保護できるという利点がある。
【００１０】
しかし、上記のように車体床下部に沿って配索された高圧電線をエンジンルーム内に延設する際には、車体の前部下方に設置されたサスペンション支持用のサブフレームを避けて上記高圧電線を配索する必要があり、そのためには車体のフロアパネルに形成されたトンネル部を介してダッシュパネルの前方側に上記高圧電線を延設することが望ましいが、上記トンネル部に配索された高圧電線に排気管の熱影響が及ぶ可能性があり、これを防止するための対策を講じる必要がある。
【００１１】
また、上記特許文献３に開示されているように、電力ケーブルを金属製パイプ内により被覆するとともに、該電力ケーブルと排気管とを、フロアパネルに形成されたトンネル部内に相隣接して配設し、排気管からの放熱により上記金属製パイプを加熱するように構成した場合には、該金属製パイプ内で結露が生じるのを効果的に防止することができても、金属製パイプ内に配設された電力ケーブルが上記排気管の熱影響を受けて損傷する可能性があり、これを防止するためには、耐熱性を有する高価な電力ケーブルを用いなければならないという問題があった。
【００１２】
本発明は、上記の問題点に鑑みてなされたものであり、フロアパネルの下面に沿ってハーネスを適正に配索することにより、該ハーネスが排気管の熱影響を受けるのを簡単な構成で効果的に防止できる車両の下部車体構造を提供することを目的としている。
【課題を解決するための手段】
【００１３】
請求項１に係る発明は、車両のエンジンルームとその後方の車室とを仕切るダッシュパネルと、該ダッシュパネルの下端部から車両の後方側に延びるように設置されたフロアパネルと、該フロアパネルの車幅方向中央部を上方に膨出させたトンネル部と、該トンネル部に沿ってフロアパネルの下方部を車両の前後方向に延設された排気管と、上記フロアパネルの下面に沿って車両の前後方向に配索されたハーネスとを備える車両の下部車体構造であって、上記トンネル部内には排気管の設置部を上方から覆うヒートインシュレータが設けられるとともに、該ヒートインシュレータには、その側面の一部を車幅方向の内方側に凹入させた凹入部が形成され、該ヒートインシュレータの凹入部と上記トンネル部との間に形成された空間部内であって、該トンネル部の上部下面よりも下方に離間した位置に上記ハーネスが配置され、上記ハーネスは、上記排気管よりも下方に配設されたハーネス後部と、該ハーネス後部の前端部から上記ヒートインシュレータの凹入部とトンネル部との間に形成された空間部を通って上方に延びて、上記排気管の車幅方向に隣り合う部分における最大幅部位よりも上方まで延設される上下延設部と、該上下延設部の上端から上記トンネル部内を通ってエンジンルーム内に延設されるハーネス前部とを備えたものである。
【００１４】
請求項２に係る発明は、上記請求項１に記載の車両の下部車体構造において、上記ハーネスが、上記ヒートインシュレータの頂部よりも下方に離間した位置に配索されたものである。
【００１６】
請求項３に係る発明は、上記請求項１または２に記載の車両の下部車体構造において、上記排気管の前方部に、該排気管の管状部よりも大径で高温になる触媒が配設され、該触媒の最大幅部位よりも前方または後方にずれた位置に上記ハーネスの上下延設部が配設されたものである。
【００１７】
請求項４に係る発明は、上記請求項３に記載の車両の下部車体構造において、上記排気管の触媒およびハーネスの上下延設部よりも後方側部位に、排気管の大径機能部が設けられたものである。
【００１８】
請求項５に係る発明は、上記請求項１〜４のいずれか１項に記載の車両の下部車体構造において、上記トンネル部の内壁面に沿ってトンネルクロスメンバが車幅方向に延設され、該トンネルクロスメンバの前方側に上記ハーネスの上下延設部が配置されたものである。
【００１９】
請求項６に係る発明は、上記請求項１〜５のいずれか１項に記載の車両の下部車体構造において、下面が上記トンネル部の下端よりも下方に突出した状態で上記フロアパネルの下面に沿って車両の前後方向に延設されたフレーム部材を有し、該フレーム部材の下面よりも上方に上記ハーネス後部が配索されたものである。
【００２０】
請求項７に係る発明は、上記請求項６に記載の車両の下部車体構造において、上記フレーム部材の前部下面が、その後部下面よりも上方に凹入した段上げ部が形成され、該段上げ部の前方側部位にサブフレームの後方部が取り付けられるとともに、該サブフレームの後縁部に沿って上記ハーネス後部の前端部からトンネル部側へ車幅方向に延びるように上記ハーネス前部が配索されたものである。
【００２１】
請求項８に係る発明は、上記請求項７に記載の車両の下部車体構造において、上記フレーム部材の設置部よりも車幅方向外方側に上記ハーネス後部が配索されるとともに、該ハーネス後部の前端から上記フレーム部材の段上げ部の下方を通って車幅方向内方側にハーネスが配索されたものである。
【００２２】
請求項９に係る発明は、上記請求項７または８に記載の車両の下部車体構造において、車両の前突時に上記サブフレームの後方部が下方に脱落するのを促進する脱落促進部を備えたものである。
【発明の効果】
【００２３】
請求項１に係る発明では、上記ヒートインシュレータの凹入部とトンネル部の壁面との間を通ってハーネスを配索するように構成したため、車両の走行時に該ハーネスが路面の障害物に接触することに起因した損傷を防止しつつ、上記トンネル部内に配設された排気管の熱影響を上記ヒートインシュレータにより遮断してハーネスに熱害が生じるのを効果的に防止することができる。また、上記ハーネスをトンネル部の上部下面よりも下方に離間した位置に配置したため、渋滞路の走行時等に上記排気管の熱影響を受けて高温に加熱された空気が上記トンネル部上部下面とヒートインシュレータの上部との間に滞留した場合においても、上記高温の空気によりハーネスが熱影響を受けるのを効果的に抑制することができる。さらに、上記ハーネスが、トンネル部内の排気管よりも下方に配設されたハーネス後部と、該ハーネス後部の前端部から上記ヒートインシュレータの凹入部とトンネル部との間に形成された空間部を通って上方に延びて、上記排気管の車幅方向に隣り合う部分における最大幅部位よるも上方まで延設される上下延設部と、該上下延設部の上端から上記トンネル部内を通ってエンジンルーム内に延設されるハーネス前部とを備えた構造としたため、ハーネスが排気管の最大幅部位に近接した状態となるのを防止しつつ、上記ダッシュパネルの下方部を通ってハーネスの前方部をエンジンルーム内に導出するように構成した場合のように、車両の走行時に上記ダッシュパネルの下方に配索されたハーネスが路面の障害物に接触して損傷するという事態を生じることなく、上記ハーネスを適正に配索できるという利点がある。
【００２４】
請求項２に係る発明では、上記ヒートインシュレータの頂部よりも下方に離間した位置に上記ハーネスを配策したため、トンネル部内の排気管から放出された熱気が溜まり易い傾向にあるヒートインシュレータの上部下面から上記ハーネスを離間させることができ、これによってハーネスが熱害を受けるのを、より効果的に抑制できるという利点がある。
【００２６】
請求項３に係る発明では、上記排気管の前方部に、該排気管の管状部よりも大径で高温になる触媒を配設し、該触媒の最大幅部位よりも前方または後方にずれた位置に上記ハーネスの上下延設部を配設したため、該ハーネスの上下延設部をトンネル部の限られた空間部内においてコンパクトに配設することができるとともに、上記触媒において発生した高熱の影響が上記ハーネスの上下延設部に及ぶのを制果的に抑制できるという利点がある。
【００２７】
請求項４に係る発明では、上記排気管の触媒およびハーネスの上下延設部よりも後方側部位に、サイレンサー、ＳＣＲ（尿素選択還元型触媒システム）、ＤＰＦ（ディーゼル微粒子捕集フィルター）、熱交換器または配管集合部等からなる排気管の大径機能部を設けたため、該大径機能部において発生した高熱の影響がハーネスの上下延設部に及ぶのを効果的に防止しつつ、上記各種の大径機能部をコンパクトかつ適正に配設できるという利点がある。
【００２８】
請求項５に係る発明では、上記トンネル部の内壁面に沿ってトンネルクロスメンバが車幅方向に延設されてなる車両の下部車体構造において、該トンネルクロスメンバの前方側に上記ハーネスの上下延設部を配置したため、上記トンネルクロスメンバによりトンネル部を補強して、その剛性を充分に確保しつつ、該トンネル部内に上記ハーネスの上下延設部をコンパクトに配設して、これを適正かつ効果的に保護できる等の利点がある。
【００２９】
請求項６に係る発明では、下面が上記トンネル部の下端よりも下方に突出した状態でフロアパネルの下面に沿って車両の前後方向に延設されたフレーム部材を有する車両の下部車体構造において、該フレーム部材の下面よりも上方に上記ハーネス後部を配索したため、該ハーネス後部が車両の走行時に路面の障害物に接触して損傷することのないように、上記フレーム部材によりハーネス後部を効果的に保護することできる。
【００３０】
請求項７に係る発明では、上記フレーム部材の前部下面を、その後部下面よりも上方に凹入させた段上げ部を形成し、該段上げ部の前方側部位にサブフレームの後方部を取り付けるとともに、該サブフレームの後縁部に沿って上記ハーネス後部の前端部からトンネル部側へ車幅方向に延びるようにハーネス前部を配索したため、上記サブフレームがフロアパネルから下方に大きく突出した状態となるのを抑制できるとともに、車両の走行時に前方から飛来する障害物が上記ハーネス前部に当接すること等を防止し、該ハーネス前部を上記サブフレームにより効果的に保護できるという利点がある。
【００３１】
請求項８に係る発明では、上記フレーム部材の設置部よりも車幅方向外方側に上記ハーネス後部を配索するとともに、上記フレーム部材の段上げ部の下方を通ってハーネス後部の前端から車幅方向内方側にハーネスを配索したため、トンネル部内に配設された排気管から上記ハーネス後部を離間させて該ハーネス後部が排気管の熱害を受けるのを効果的に防止できるとともに、上記ハーネスをフロアパネルの下方に突出させることなくトンネル部内に引き込んで、該ハーネスを適正に配索できるという利点がある。
【００３２】
請求項９に係る発明では、車両の前突時に上記サブフレームの後方部を下方に脱落させることにより、該サブフレームの後方部が後退して上記ハーネスにサブフレームに接触するのを防ぐことができるため、該ハーネスの損傷を効果的に防止できるという利点がある。
【図面の簡単な説明】
【００３３】
【図１】本発明に係る車両の下部車体構造の実施形態を示す側面断面図である。
【図２】上記下部車体構造の全体構成を示す底面図である。
【図３】図２のＩＩＩ−ＩＩＩ線断面図である。
【図４】上記下部車体構造の要部構成を示す底面図である。
【図５】図４のＶ−Ｖ線断面図である。
【図６】図４のＶＩ−ＶＩ線断面図である。
【図７】図４のＶＩＩ−ＶＩＩ線断面図である。
【図８】インシュレータの具体的構造を示す正面図である。
【図９】インシュレータの具体的構造を示す平面図である。
【図１０】インシュレータの具体的構造を示す側面図である。
【図１１】車両の前突時におけるサブフレーム支持部の変形状態を示す平面図である。
【図１２】車両の前突時におけるサブフレームの変形状態を示す側面断面図である。
【図１３】車両の前突初期段階における車体の変形状態を示す側面断面図である。
【図１４】車両の前突中期段階における車体の変形状態を示す側面断面図である。
【発明を実施するための形態】
【００３４】
図１および図２は、本発明に係る車両の下部車体構造の実施形態を示している。該車両は、エンジンルーム１とその後方の車室２とを仕切るダッシュパネル３と、該ダッシュパネル３の下端部から車両の後方側に延びるように設置されたフロアパネル４と、上記エンジンルーム１の側方部に沿って車両の前後方向に延びるように設置された左右一対のフロントサイドフレーム５とを有している。
【００３５】
上記フロントサイドフレーム５の先端部には、車両の前突時に潰れることにより衝突エネルギーを吸収するクラッシュカン６が取り付けられるとともに、該左右のクラッシュカン６を連結するように車幅方向に延びるバンパービーム７が設けられている。また、上記左右のフロントサイドフレーム５の間には、バイブリッド車両の駆動機構を構成するエンジン８と、モータジェネレータおよび動力分配機構等からなるトランスアクスル装置９とが配設されている。
【００３６】
上記エンジン８の後壁面には、排気管１１が排気マニホールド１０を介して接続されている。該排気管１１は、フロアパネル４の車幅方向中央部を上方に膨出させたトンネル部１２内に導入され、該トンネル部１２に沿ってフロアパネル４の下方部を車両の前後方向に延設されている。上記排気管１１には、該排気管１１の管状部よりも大径で高温になる上流側の第１触媒１３と下流側の第２触媒１４とが配設されるとともに、その後方側にはサイレンサー等からなる排気管１１の大径機能部（図示せず）が設けられ、かつ上記第１触媒１３および第２触媒１４の配設部を上方から覆うようにヒートインシュレータ１５が設けられている。
【００３７】
上記フロアパネル４の左右両側辺部は、図３および図４に示すように、車室２の側辺部において車両の前後方向に延びるように設置されたサイドシル１６の内壁面に接合されている。また、該サイドシル１６の車幅方向内方側であって、上記フロントサイドフレーム５の後端部に連続する部位には、フロアフレーム１７がフロアパネル４の下面に沿って車体の前後方向に延設されている。さらに、該フロアフレーム１７の内方側には、上記トンネル部１２の下端部を補強するトンネルロアフレーム１８が車両の前後方向に延設されている。
【００３８】
上記フロアフレーム１７およびトンネルロアフレーム１８は、それぞれフロアパネル４の下面に接合される接合フランジ部と、下面が上記トンネル部１２の下端よりも下方に突出するように設置された断面コ字状の本体部とを有している。そして、左右のフロアフレーム１７は、上記トンネルロアフレーム１８との設置間隔が後部に至るほど拡大するように傾斜した状態、つまり図２および図４に示すように、車体の底面視においてハの字状に配設されている。
【００３９】
上記フロアパネル４の左右両側方部下面には、サイドシル１６の前端部とフロアフレーム１７の前端部とを連結することによりフロアパネル４の前方部を補強するトルクボックス１９が取り付けられている。また、上記トンネルロアフレーム１８の前端には、図４に示すように、車体の底面視で円弧状に湾曲しつつ車体の外方側に延びるとともに、図５および図６に示すように、車体の側面視でその下面がトンネルロアフレーム１８の本体部（後方部）よりも上方に位置するように凹入した段上げ部２０が設けられ、該段上げ部２０の車幅方向外側端部が上記フロアフレーム１７の側壁面に接続されている。
【００４０】
上記トンネルロアフレーム１８に前端に設けられた段上げ部２０の前方側部位には、前輪用のサスペンション部材（図示せず）等を支持するサブフレーム２１の後方部２２が取り付けられている。該サブフレーム２１の後方部２２には、図５に示すように、取付ボルト２３の挿通孔２４が形成されるとともに、該挿通孔２４の設置部を補強するスペーサ２５が配設されている。また、上記挿通孔２４およびスペーサ２５の設置部近傍であって、その車幅方向内方側には、図６に示すように、基準ピン２６が上方に向けて突設されている。
【００４１】
上記トンネルロアフレーム１８の段上げ部２０内には、サブフレーム２１の後方部２２に形成された挿通孔２４およびスペーサ２５を挿通するように設置された取付ボルト２７が螺着されるウェルドナット２８が固着されるとともに、上記段上げ部２０を補強するレインフォースメント２９が配設され、かつ上記ウェルドナット２８の設置部近傍であって、その車幅方向内方側には上記基準ピン２６が挿入される基準孔３０が形成されている。
【００４２】
また、上記サブフレーム２１に形成された挿通孔２４およびスペーサ２５の近傍であって、その前方側には、下方に凹入するビード部３１が車幅方向に延びるように設置されている。該サブフレーム２１に設けられたビード部３１および基準ピン２６と、上記トンネルロアフレーム１８の段上げ部２０に設けられた基準孔３０とにより、後述するように車両の前突時に、上記サブフレーム２１の後方部２２が下方に脱落することを促進する脱落促進部が構成されている。
【００４３】
上記車体の後方部には、図１に示すように、トランスアクスル装置９のモータジェネレータに駆動電流を供給するとともに、該モータジェネレータから供給された発電エネルギーを蓄電する高圧バッテリ３２が設置されている。そして、該高圧バッテリ３２と上記トランスアクスル装置９のモータジェネレータとを接続する複数本の高圧電線が束ねられたハーネス３３が、上記フロアパネル４の下面に沿って車両の前後方向に延びるように配索されている。
【００４４】
上記ハーネス３３は、高圧バッテリ３２の設置部からフロアパネル４の下方に導出された導出部から上記フロアフレーム１７とトンネルロアフレーム１８との間を通って車両の前方側に延設されたハーネス後部３４と、その前端部から上記サブフレーム２１の後縁部に沿ってトンネル部１２側へ車幅方向内方側に延びる車幅方向延設部３５と、その内側端部から上記ヒートインシュレータ１５とトンネル部１２の壁面との間を通って上方に延びる上下延設部３６と、その上端部からトンネル部１２を通ってエンジンルーム１内に導入されるハーネス前部３７とを有し、その先端部が上記トランスアクスル装置９に接続されている。
【００４５】
上記ハーネス後部３４は、その前後両端部が前方支持部材３８および後方支持部材３９と、その間に配設された前後一対の中間支持部材４０，４１とにより下方から覆われた状態でフロアパネル４の下面に支持されることにより、図３に示すように、車体の正面視において、上記フロアフレーム１７およびトンネルロアフレーム１８からなるフレーム部材の下面よりも上方に位置するように配索されている。
【００４６】
また、上記前方支持部材３８には、図４〜図６に示すように、ハーネス３３の車幅方向延設部３５を下方から覆うように支持する延長部４２が車幅方向内方側に突設されている。そして、上記ハーネス３３の車幅方向延設部３５は、トンネルロアフレーム１８の段上げ部２０に取り付けられたサブフレーム２１の後方部２２と、上記段上げ部２０の後方側壁面との間において該段上げ部２０の下方を通り、上記ヒートインシュレータ１５の車幅方向内方側部と、上記トンネル部１２の車幅方向外方側部との間に至るよう配索されている。
【００４７】
上記ヒートインシュレータ１５は、アルミニウム合金材等に形成されるとともに、図７〜図１０に示すように、断面コ字状のインシュレータ本体４３と、その下端部から車幅方向外方側に突設された取付フランジ４４とを有し、上記インシュレータ本体４３の前方部は、トンネル部１２の上部およびダッシュパネル３の下部に対応するように前上がり形状に傾斜している。上記ヒートインシュレータ１５の取付フランジ４４がトンネルロアフレーム１８の下面に固定される等により、上記トンネル部１２の下方に所定間隔を置いてヒートインシュレータ１５が配設されている。そして、該ヒートインシュレータ１５によって排気管１１の設置部が上方から覆われることにより、該排気管１１の熱が車室２内に進入することが防止されようになっている。
【００４８】
上記ヒートインシュレータ１５の前部一側面、つまり上記ハーネス３３の上下延設部３６に近接した部位に位置する側壁面には、その一部を車幅方向の内方側、つまりトンネル部１２の中心部側に凹入させた凹入部４５が形成されている。そして、上記ハーネス３３の上下延設部３６が、ヒートインシュレータ１５の凹入部４５と上記トンネル部１２との間に形成された空間部内に導入され、上記排気管１１の前方部に設けられた第１触媒１３の最大幅部位よりも後方側で、かつ第２触媒１４の最大幅部位よりも前方側にずれた位置において上方に延びるように設置されている。
【００４９】
また、上記ヒートインシュレータ１５に形成された凹入部４５の後方側には、上記トンネル部１２の内壁面に沿って車幅方向に延設されたトンネルクロスメンバ４６との干渉を回避するために下方へ窪んだ凹部４７が形成されている。そして、上記トンネルクロスメンバ４６およびこれに対応する位置に形成されたヒートインシュレータ１５の凹部４７よりも前方側に上記ハーネス３３の上下延設部３６が配設されている。
【００５０】
上記ヒートインシュレータ１５に設けられた凹入部４５に対応する位置には、上記ハーネス３３の上下延設部３６と、その上端部から前方に延びる延長部４８とを被覆した状態で上記トンネル部１２の側壁面に支持する合成樹脂製の支持部材４９が配設されている（図７参照）。そして、上記ハーネス前部３７の延長部４８は、トンネル部１２の上部下面よりも下方に離間した位置であって、かつ上記ヒートインシュレータ１５の頂部、つまりヒートインシュレータ１５の最上部に位置する天板１９ａよりも下方に離間した位置において、車両の前後方向に延びるように配索されている。
【００５１】
また、上記ハーネス前部３７は、図４および図８に示すように、トンネル部１２とダッシュパネル３に形成されたトンネル状凹部５０との間を通って車幅方向に延びる上方部５１と、その先端部からエンジンルーム１内に延設されてトランスアクスル装置９に接続される接続部５２とからなっている。そして、上記ハーネス前部３７の上方部５１は、合成樹脂製の支持部材５３により被覆された状態で上記ダッシュパネル３のトンネル状凹部５０に支持されている。
【００５２】
上記のように車両のエンジンルーム１とその後方の車室２とを仕切るダッシュパネル３と、該ダッシュパネル３の下端部から車両の後方側に延びるように設置されたフロアパネル４と、該フロアパネル４の車幅方向中央部を上方に膨出させたトンネル部１２と、該トンネル部１２に沿ってフロアパネル４の下方部を車両の前後方向に延設された排気管１１と、上記フロアパネル４の下面に沿って車両の前後方向に配索されたハーネス３３とを備える車両の下部車体構造において、上記トンネル部１２内に排気管１１の設置部を上方から覆うヒートインシュレータ１５を設けるとともに、該ヒートインシュレータ１５の側面にその一部を車幅方向の内方側に凹入させた凹入部４５を形成し、該ヒートインシュレータ１５の凹入部４５と上記トンネル部１２との間に形成された空間部内であって、該トンネル部１２の上部下面よりも下方に離間した位置に上記ハーネス３３を配置したため、上記フロアパネル４の下面に沿ってハーネス３３を適正に配索して、該ハーネス３３が排気管１１の熱影響を受けるのを簡単な構成で効果的に防止できるという利点がある。
【００５３】
すなわち、上記実施形態では、排気管１１よりも下方に配設されるとともにフロアパネル４の下面に沿って車両の前後方向に延びるハーネス後部３４と、該ハーネス後部３４の前端部に設けられた車幅方向延設部３５の内側端部から上記ヒートインシュレータ１５の凹入部４５とトンネル部１２の壁面との間を通って上方に延びる上下延設部３６と、該上下延設部３６の上端から上記トンネル部１２の上方を通ってエンジンルーム１内に延設されるハーネス前部３７とを上記ハーネス３３に設け、図４および図７に示すように、該ハーネス３３の上下延設部３６と、上記ハーネス前部３７の後部に設けられた上記延長部４８とを、ヒートインシュレータ１５の凹入部４５と上記トンネル部１２との間に形成された空間部内に配置したため、車両の走行時に上記ハーネス３３の上下延設部３６およびハーネス前部３７の延長部４８等が路面の障害物に接触することに起因した損傷を防止しつつ、排気管１１の熱影響を上記ヒートインシュレータ１５により遮断してハーネス３３の熱害が発生するのを効果的に防止できるという利点がある。
【００５４】
しかも、上記ハーネス３３の上下延設部３６およびハーネス前部３７の延長部４８等をヒートインシュレータ１５の凹入部４５と上記トンネル部１２との間に形成された空間部内であって、該トンネル部１２の上部下面よりも下方に離間した位置に配置したため、渋滞路の走行時等に上記排気管１１の熱影響を受けて高温に加熱された空気が上記トンネル部１２の上部下面とヒートインシュレータ１５の上部との間に滞留した場合においても、上記高温の空気によりハーネス３３が熱害を受けるのを効果的に抑制することができる。
【００５５】
また、上記実施形態では、ハーネス３３の上下延設部３６およびハーネス前部３７の延長部４８等を、上記ヒートインシュレータ１５の頂部よりも下方に離間した位置に配索したため、上記排気管１１から放出された熱気が溜まり易い傾向にあるヒートインシュレータ１５の上部下面から上記ハーネス３３を離間させることができ、これによってハーネス３３が熱害を受けるのを、より効果的に抑制できるという利点がある。
【００５６】
さらに、上記実施形態では、ヒートインシュレータ１５の凹入部４５とトンネル部１２との間に配設されたハーネス３３の上下延設部３６の上端に連設されたハーネス前部３７を、上記トンネル部１２内を通ってエンジンルーム１内に延設するように構成したため、上記ダッシュパネル３の下方部を通ってハーネスの前方部をエンジンルーム１内に導出するように構成した場合のように、車両の走行時に上記ダッシュパネル３の下方に配索されたハーネスが路面の障害物に接触して損傷するという事態の発生を防止し、上記ハーネス前部３７を効果的に保護することができる。
【００５７】
また、上記実施形態では、図２および図９に示すように、上記排気管１１の前方部に該排気管１１の管状部よりも大径で高温になる第１，第２触媒１３，１４を配設し、該第１触媒１３の最大幅部位よりも後方にずれた位置であって、上記第２触媒１４の最大幅部位よりも前方にずれた位置に上記ハーネス３３の上下延設部３６を配設したため、該ハーネス３３の上下延設部３６をトンネル部１２の限られた空間部内においてコンパクトに配設できるとともに、上記第１，第２触媒１３，１４において発生した高熱の影響が上記ハーネス３３の上下延設部３６に及ぶのを充分に抑制し、該ハーネス３３に熱害が発生するのを、さらに効果的に防止できるという利点がある。
【００５８】
さらに、上記実施形態に示すように、排気管１１の前方部に配設された第１触媒１３および第２触媒１４のハーネス３３の上下延設部３６よりも後方側部位に、サイレンサー、ＳＣＲ（尿素選択還元型触媒システム）、ＤＰＦ（ディーゼル微粒子捕集フィルター）、熱交換器または配管集合部等からなる排気管１１の大径機能部を設けた構造とした場合には、該大径機能部において発生した高熱の影響がハーネス３３の上下延設部３６に及ぶのを防止しつつ、上記各種の大径機能部をコンパクトかつ適正に配設することができる。
【００５９】
また、図９および図１０に示すように、トンネル部１２の内壁面に沿ってトンネルクロスメンバ４６が車幅方向に延設されてなる車両の下部車体構造において、該トンネルクロスメンバ４６の前方側に上記ハーネス３３の上下延設部３６を配置した場合には、上記トンネルクロスメンバ４６によりトンネル部１２を補強して、その剛性を充分に確保しつつ、該トンネル部１２内に上記ハーネス３３の上下延設部３６をコンパクトに配設して、これを適正かつ効果的に保護することができる等の利点がある。
【００６０】
さらに、上記実施形態では、図３および図４に示すように、下面が上記トンネル部１２の下端よりも下方に突出した状態で上記フロアパネル４の下面に沿って車両の前後方向に延設されたフロアフレーム１７またはトンネルロアフレーム１８からなるフレーム部材を有する車両の下部車体構造において、該フレーム部材の下面よりも上方に上記ハーネス後部３４を位置させるように配索したため、該ハーネス後部３４が車両の走行時に路面の障害物に接触して損傷することのないように、上記フレーム部材によりハーネス後部３４を効果的に保護することできる。
【００６１】
また、図４〜図７に示すように、トンネルロアフレーム１８からなるフレーム部材の前部下面を、その後部下面よりも上方に凹入させてなる段上げ部２０を形成し、該段上げ部２０の前方側部位にサブフレーム２１の後方部２２を取り付けるとともに、該サブフレーム２１の後縁部に沿って上記ハーネス後部３４の前端部からトンネル部１２側へ車幅方向に延びる車幅方向延設部３５を設けた構造とした場合には、上記サブフレーム２１がフロアパネル４から下方に大きく突出した状態となるのを抑制することができるとともに、車両の走行時に前方から飛来する障害物が上記ハーネス３３の車幅方向延設部３５に当接すること等を防止し、該ハーネス３３の車幅方向延設部３５等からなるハーネス前部３７を上記サブフレーム２１により効果的に保護できるという利点がある。
【００６２】
特に、上記実施形態に示すように、トンネルロアフレーム１８からなるフレーム部材の設置部よりも車幅方向外方側に上記ハーネス後部３４を配索するとともに、上記フレーム部材の段上げ部２０の下方を通って車幅方向内方側に上記ハーネス後部３４の前端部、つまり上記ハーネス３３の車幅方向延設部３５を延設した構造とした場合には、トンネル部１２内に配設された排気管１１から上記ハーネス後部３４を離間させて該ハーネス後部３４が排気管１１の熱害を受けるのを効果的に防止できるとともに、上記ハーネス３３の車幅方向延設部３５をフロアパネル４の下方に突出させることなく、トンネル部１２内に引き込んで適正に配索できるという利点がある。
【００６３】
また、上記実施形態では、図５等に示すように、サブフレーム２１に形成された挿通孔２４およびスペーサ２５の近傍であって、その前方側に下方に凹入するビード部３１を幅方向に延びるように設置し、該サブフレーム２１に設けられたビード部３１および基準ピン２６と、上記トンネルロアフレーム１８の段上げ部２０に設けられた基準孔３０とにより、車両の前突時に、上記サブフレーム２１の後方部２２が下方に脱落することを促進する脱落促進部を構成したため、車両の前突時におけるハーネス３３の損傷を、より効果的に防止することができる。
【００６４】
すなわち、車両の前突時に上記サブフレーム２１を車両の後方に押圧する大きな衝撃荷重が入力された場合には、図１１に示すように、上記取付ボルト２３によりトンネルロアフレーム１８の段上げ部２０に支持されたサブフレーム２１の後方部２２が後退するとともに、これに対応して上記基準ピン２６が後退することにより、上記トンネルロアフレーム１８の段上げ部２０に設けられた基準孔３０が拡開変形し、該基準孔３０の近傍に位置するウェルドナット２８の支持剛性が著しく低下することになる。
【００６５】
また、上記サブフレーム２１を後退させる押圧力に応じ、図１２に示すように上記ビード部３１を基点としてサブフレーム２１の後方部２２がＶ字状に変形するとともに、上記取付ボルト２３の頭部が後方側に変位して取付ボルト２３が前傾姿勢となるように変形する。これにより、図１３に示すように、上記取付ボルト２３が螺着されたウェルドナット２８をトンネルロアフレーム１８の段上げ部２０から引き抜く方向に大きな荷重が作用し、図１４に示すように、上記サブフレーム２１の後方部２２が下方に脱落することが促進されるようになっている。
【００６６】
このようにして車両の前突時にサブフレーム２１の後方部２２が下方に脱落するのを促進するように構成した場合には、上記エンジン８およびトランスアクスル装置９からなるパワートレインの後退がサブフレーム２１により阻害されるのを防止し、該パワートレインの後退に応じて上記フロントサイドフレーム５を徐々に塑性変形させることにより、車両の前突時に入力された衝撃エネルギーを効果的に吸収することができる。そして、上記サブフレーム２１の後方部２２を下方に脱落させることにより、その後方に配設された上記ハーネス３３の車幅方向延設部３５にサブフレーム２１の後方部２２が干渉するのを防止して該ハーネス３３の損傷を効果的に防止できるという利点がある。
【００６７】
なお、サブフレーム２１に設けられたビード部３１および基準ピン２６と、上記トンネルロアフレーム１８の段上げ部２０に設けられた基準孔３０とにより、サブフレーム２１の脱落を促進する脱落促進部を構成した上記実施形態に代え、その何れか一方のみで上記脱落促進部を構成してもよい。
【００６８】
また、上記構成に代えて、サブフレーム２１の後方部２２およびこれと車両前後方向に対面する車体側部材に、サブフレーム２１の後退時に互いに干渉する干渉部をそれぞれ設けるとともに、その少なくとも一方に、車両後方下側に傾斜するガイド部を設けることにより、車両の衝突時に後退するサブフレーム２１を強制的に下方へガイドする従来周知のガイド構造（例えば特開２００８−１２６７９６号公報参照）を、上記ハーネス３３の設置部とは異なる位置で、かつハーネス３３とサブフレーム２１が衝突する前に先当たりする位置に設けた構成としてもよい。当該構成において、例えば上記干渉部間の前後距離を、サブフレーム２１とハーネス３３との間の前後距離よりも短くするか、あるいは上記両干渉部を予め当接した位置に設置して、車両の衝突時にサブフレーム２１の後方部２２を上記ガイド部に沿って車両後方下側に案内することにより、サブフレーム２１の後方部２２がハーネス３３に干渉するのを防止することができる。
【００６９】
また、上記基準ピン２６と基準孔２６との組み合わせに代えて、位置決め基準としての機能を持たないピン、ボルト、リベット、あるいはサブフレーム２１の一部を突出変形させた爪部と開口との組み合わせとし、または上記サブフレーム２１の後方部２２を取り付ける取付ボルトの近傍、好ましくは締結部に対して、Ｕ字状や四方から囲うような開口、薄肉部等の脆弱部を設け、車両の前突時に作用する衝撃荷重に応じて上記締結部から取付ボルトを容易に離脱させることにより、上記サブフレーム２１の後方部２２の脱落を促進するように構成してもよい。
【符号の説明】
【００７０】
１  エンジンルーム
２  車室
３  ダッシュパネル
４  フロアパネル
１１  排気管
１２  トンネル部
１３，１４  触媒
１５  ヒートインシュレータ
１７  フロアフレーム（フレーム部材）
１８  トンネルロアフレーム（フレーム部材）
２０  段上げ部
２１  サブフレーム
２６  基準ピン（脱落促進部）
３０  基準孔（脱落促進部）
３１  ビード部（脱落促進部）
３３  ハーネス
３４  ハーネス後部
３６  上下延設部
３７  ハーネス前部
４５  凹入部
４６  トンネルクロスメンバ
【図１】
0005874213.tif 000002
【図２】
0005874213.tif 000003
【図３】
0005874213.tif 000004
【図４】
0005874213.tif 000005
【図５】
0005874213.tif 000006
【図６】
0005874213.tif 000007
【図７】
0005874213.tif 000008
【図８】
0005874213.tif 000009
【図９】
0005874213.tif 000010
【図１０】
0005874213.tif 000011
【図１１】
0005874213.tif 000012
【図１２】
0005874213.tif 000013
【図１３】
0005874213.tif 000014
【図１４】
0005874213.tif 000015